【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
ポリマーと、リグノセルロース、カーボン、マイカ、ポリアナリン、クレー、シリカゲルから選択される添加材料とからなり、周囲温度以上の成形温度で成形可能であり、かつ周囲温度で硬質である複合保護及び／又はスプリント材料。
【請求項２】
前記材料成形温度が３５℃以上である請求項１に記載の材料。
【請求項３】
前記材料成形温度が５５℃以上である請求項２に記載の材料。
【請求項４】
前記ポリマーが熱可塑性物質である請求項１乃至３のいずれかに記載の材料。
【請求項５】
前記ポリマーがコポリマーからなる請求項１乃至４のいずれかに記載の材料。
【請求項６】
前記ポリマーがポリカプロラクトンである請求項１乃至５のいずれかに記載の材料。
【請求項７】
前記添加材料が複数のファイバの形態で提供される請求項１乃至６のいずれかに記載のファイバ複合材料。
【請求項８】
前記ファイバが前記ポリマーの全体に亘って分散される請求項７に記載の材料。
【請求項９】
周囲温度において、前記材料のヤング率が３００ＭＰａ〜２５００ＭＰａの範囲内である請求項１乃至８のいずれかに記載の材料。
【請求項１０】
前記材料が、該材料を手で成形しかつ人の体肢に適用させ得るような熱絶縁特性を有する請求項１乃至９のいずれかに記載の材料。
【請求項１１】
少なくとも１５重量％のリグノセルロースからなる請求項１０に記載の材料。
【請求項１２】
少なくとも３３重量％のリグノセルロースからなる請求項１０に記載の材料。
【請求項１３】
前記添加材料が木質からなる請求項１乃至１２のいずれかに記載の材料。
【請求項１４】
請求項１乃至１３のいずれかに記載の材料を含む部材からなる複合材を有する保護及び／又はスプリント器具。
【請求項１５】
前記成形温度において、前記部材が伸張可能である請求項１４に記載の器具。
【請求項１６】
前記部材が該部材の少なくとも一部分を貫通する１又は複数の開口を有する請求項１４又は１５に記載の器具。
【請求項１７】
前記部材が、少なくとも１つの前記開口の周囲に３つ又はそれ以上の真直ぐな縁部を有する請求項１６に記載の器具。
【請求項１８】
一つ又は複数の前記開口が卵形である請求項１６又は１７のいずれかに記載の器具。
【請求項１９】
前記部材が要素の網状体からなる請求項１４乃至１６のいずれかに記載の器具。
【請求項２０】
前記網状体が単一の一様に平坦な材料からなり、前記網状体が、コンサーティーナ（蛇腹）作用によって及び前記部材が前記成形温度にあるときに前記部材を伸張することによって、前記開口に関して動かすことができる請求項１９に記載の器具。
【請求項２１】
動作の結合効果によって前記部材の＋４０％又は−２０％までの拡張性が得られる請求項２０に記載の器具。
【請求項２２】
少なくとも１つの前記要素の幅が２ｍｍ〜１２ｍｍの範囲内である請求項１９に記載の器具。
【請求項２３】
前記部材の少なくとも一部分において、前記部材の合計断面積に対する前記１つ又は複数の開口の合計断面積の割合が１％〜８０％の範囲内である請求項１６乃至１９のいずれかに記載の器具。
【請求項２４】
前記部材の第１の方向における撓み強度が前記部材の第２の方向における撓み強度より大きい請求項１５乃至１９のいずれかに記載の器具。
【請求項２５】
前記第１の方向と前記第２の方向とが互いに直交している請求項２４に記載の器具。
【請求項２６】
前記第１の方向が長手方向である請求項２５に記載の器具。
【請求項２７】
前記第２の方向が周方向である請求項２５又は２６に記載の器具。
【請求項２８】
前記第２の方向における前記部材の強度が、前記第１の方向における前記部材の強度の１０％〜９５％の範囲内である請求項２４乃至２７のいずれかに記載の器具。
【請求項２９】
前記部材が複数の縁部を有し、その外面と前記各縁部との間で丸み付けされている請求項２８に記載の器具。
【請求項３０】
前記部材が該部材の少なくとも一部分にそれを貫通する１つ又は複数の開口を有し、前記部材の３点曲げ強さの対開放度比率（Ｓ／Ｏ３）が０．１より大きく、前記Ｓ／Ｏ３が、
Ｆ＝本願明細書に記載される３点曲げ試験において、１００ｃｍ２の試験面積を有するサンプルの前記部材を１０ｍｍだけ変位させるのに必要な力（Ｎ）、
Ｖ＝前記部材のサンプルの容積（ｃｍ３）、
％ＯＡ＝（前記１つ又は複数の開口の合計面積／前記部材のサンプルの合計面積）百分率表示、
とした場合に、
Ｓ／Ｏ３＝Ｆ／Ｖ×％ＯＡ
によって定義される請求項１４乃至２９のいずれかに記載の器具。
【請求項３１】
前記Ｓ／Ｏ３が０．１〜５．０の範囲内である請求項３０に記載の器具。
【請求項３２】
前記部材が、４より大きい一方向曲げ強度対開放度比率（Ｓ／Ｏｕ）を有し、前記Ｓ／Ｏｕが、
Ｆ＝本願明細書に記載される一方向曲げ試験において、１００ｃｍ２の試験面積を有するサンプルの前記部材を１０ｍｍだけ変位させるのに必要な力（Ｎ）、
Ｖ＝前記部材のサンプルの容積（ｃｍ３）、
％ＯＡ＝（前記１つ又は複数の開口の合計面積／前記部材のサンプルの合計面積）百分率表示、
とした場合に、
Ｓ／Ｏｕ＝Ｆ／Ｖ×％ＯＡ
によって定義される請求項１４乃至３１のいずれかに記載の器具。
【請求項３３】
前記Ｓ／Ｏｕが４〜２０の範囲内である請求項３２に記載の器具。
【請求項３４】
前記部材が第一層及び第二層を有し、前記第二層が前記部材の第一層とスプリント装着されかつ／又は保護される対象物との間に位置するように構成されている請求項１４乃至３３のいずれかに記載の器具。
【請求項３５】
前記第二層が前記第一層に取り付けられている請求項３４に記載の器具。
【請求項３６】
前記部材又は該部材の前記第一層がヒンジ結合された一連の要素からなる請求項３４又は３５に記載の器具。
【請求項３７】
前記部材が複合部材であり、前記第一層を画定する個々の要素が前記第二層により連結されている請求項３４又は３５に記載の器具。
【請求項３８】
請求項１乃至１３のいずれかに記載の材料を射出成形又は圧縮成形する過程からなる方法。
【請求項３９】
保護及び／又はスプリント部材からなる保護及び／又はスプリント器具であって、前記部材が該部材の少なくとも一部分にそれを貫通する１つ又は複数の開口を有し、前記部材の３点曲げ強さの対開放度比率（Ｓ／Ｏ３）が０．１より大きく、前記Ｓ／Ｏ３が、
Ｆ＝本願明細書に記載される３点曲げ試験において、１００ｃｍ２の試験面積を有するサンプルの前記部材を１０ｍｍだけ変位させるのに必要な力（Ｎ）、
Ｖ＝前記部材のサンプルの容積（ｃｍ３）、
％ＯＡ＝（前記１つ又は複数の開口の合計面積／前記部材のサンプルの合計面積）百分率表示、
とした場合に、
Ｓ／Ｏ３＝Ｆ／Ｖ×％ＯＡ
によって定義されることを特徴とする器具。
【請求項４０】
保護及び／又はスプリント部材からなる保護及び／又はスプリント器具であって、前記部材が該部材の少なくとも一部分にそれを貫通する１つ又は複数の開口を有し、前記部材の一方向曲げ強度の対開放度比率（Ｓ／Ｏｕ）が４より大きく、前記Ｓ／Ｏｕが、
Ｆ＝本願明細書に記載される一方向曲げ試験において、１００ｃｍ２の試験面積を有するサンプルの前記部材を１０ｍｍだけ変位させるのに必要な力（Ｎ）、
Ｖ＝前記部材のサンプルの容積（ｃｍ３）、
％ＯＡ＝（前記１つ又は複数の開口の合計面積／前記部材のサンプルの合計面積）百分率表示、
とした場合に、
Ｓ／Ｏｕ＝Ｆ／Ｖ×％ＯＡ
によって定義されることを特徴とする器具。
【請求項４１】
保護及び／又はスプリント部材からなり、
前記部材がそれを貫通する複数の開口を有し、
隣接する前記開口の各対の間に前記部材が接合部を有し、かつ
少なくとも１つの前記開口について、前記部材が該開口の一方の側に第１の接合部と、該開口の前記第１の接合部とは反対側に第２の接合部と、該開口の別の側に第３の接合部と、該開口の前記第３の接合部とは反対側に第４の接合部とを有し、
前記第１の接合部と前記第２の接合部との距離が前記第３の接合部と前記第４の接合部との距離より大きい保護及び／又はスプリント器具。